(57)【要約】【課題】コアの大きさを大きくすることなく、ケーブルの不要輻射によるノイズを抑制することができるラインフィルタを提供する。【解決手段】ラインフィルタ１００は、ケーブル２０と、コア１０とを備える。ケーブル２０は、平板状である。コア１０は、平板状である。コア１０はケーブル２０に対応した形状を有する内孔１１が設けられている。ケーブル２０は、第１貫通部２１と、第２貫通部２２と、第１連絡部３０とを有する。第１貫通部２１は、コアの内孔１１の入口１２から侵入し出口１３を通過する。第２貫通部２２は、コアの内孔１１の入口１２から侵入し出口１３を通過する。第１連絡部３０は、第１貫通部２１における内孔１１の出口１３側と第２貫通部２２における内孔１１の入口１２側とを内孔１１を通過せずに連絡している。コア１０の主面１４の法線方向から見た場合、第１貫通部２１と第２貫通部２２とは少なくとも部分的に重なる。【選択図】図１
2014107388.tif 000002
【特許請求の範囲】
【請求項１】
平板状のケーブルと、
平板状のコアと
を備え、
前記コアには前記ケーブルに対応した形状を有する内孔が設けられており、
前記ケーブルは、
前記コアの前記内孔の入口から侵入し出口を通過する第１貫通部と、
前記コアの前記内孔の前記入口から侵入し前記出口を通過する第２貫通部と、
前記第１貫通部における前記内孔の出口側と前記第２貫通部における前記内孔の入口側とを前記内孔を通過せずに連絡している第１連絡部と
を有し、
前記コアの主面の法線方向から見た場合、前記第１貫通部と前記第２貫通部とは少なくとも部分的に重なる、ラインフィルタ。
【請求項２】
前記コアの前記主面の前記法線方向から見た場合、前記第１貫通部と前記第２貫通部とは前記コアの前記内孔において全て重なる、請求項１に記載のラインフィルタ。
【請求項３】
前記コアの前記主面の前記法線方向から見た場合、前記第１貫通部の延びている方向は前記第２貫通部の延びている方向と平行である、請求項１または請求項２に記載のラインフィルタ。
【請求項４】
前記ケーブルは、
前記第１貫通部と連絡している第１本体部と、
前記第２貫通部と連絡している第２本体部と
を有し、
前記第２貫通部は折り曲げ部を介して前記第２本体部と連絡しており、第２本体部は前記第２貫通部の延びている方向に対して前記折り曲げ部で曲げられた方向に延びている、請求項１から請求項３のうちのいずれか１項に記載のラインフィルタ。
【請求項５】
前記第２本体部の延びている方向は、前記第２貫通部の延びている方向と直交する、請求項４に記載のラインフィルタ。
【請求項６】
前記ケーブルは、
前記コアの前記内孔の前記入口から侵入し前記出口を通過する第３貫通部と、
前記第２貫通部における前記内孔の出口側と前記第３貫通部における前記内孔の入口側とを前記内孔を通過せずに連絡している第２連絡部と
をさらに有し、
前記コアの前記主面の前記法線方向から見た場合、前記第３貫通部は、前記第１貫通部および前記第２貫通部のうちの少なくとも一方と部分的に重なる、請求項１から請求項５のうちのいずれか１項に記載のラインフィルタ。
【請求項７】
請求項１から６のうちのいずれか１項に記載のラインフィルタを備える、画像形成装置。
【請求項８】
前記画像形成装置は、
原稿を読み取って入力画像を得る撮像部を有する画像読取部と、
前記原稿を印刷する印刷部と、
前記画像読取部と前記印刷部とを制御する制御部と
をさらに備え、
前記撮像部と前記制御部とは、前記ラインフィルタを介して接続される、請求項７に記載の画像形成装置。
【請求項９】
前記原稿は副走査方向に読み取られ、
前記ケーブルは、
前記第１貫通部と連絡している第１本体部と、
前記第２貫通部と連絡している第２本体部と
を有し、
前記第２貫通部は折り曲げ部を介して前記第２本体部と連絡しており、第２本体部は前記第２貫通部の延びている方向に対して前記折り曲げ部で曲げられた方向に延びており、
前記第１貫通部は前記副走査方向に延びており、前記第２本体部は前記副走査方向に直交する主走査方向に延びている、請求項７または請求項８に記載の画像形成装置。
【請求項１０】
前記画像読取部は前記制御部と前記印刷部とを内部に搭載した支持筐体に支持された回動軸に対して回動可能であり、
前記画像読取部の主面の法線方向から見た場合、前記第２本体部は前記回動軸と交差する方向に延びている、請求項９に記載の画像形成装置。
【請求項１１】
請求項１から６のうちのいずれか１項に記載のラインフィルタを備える、電子機器。
【発明の詳細な説明】
【技術分野】
【０００１】
本発明は、ラインフィルタ、画像形成装置および電子機器に関する。
【背景技術】
【０００２】
従来の電子機器において基板から基板への信号の伝達には平板状のフラットケーブルが用いられている。ケーブルに電流が流れる際に、ケーブルの不要輻射によるノイズ（Ｅｌｅｃｔｒｏ  ｍａｇｎｅｔ  Ｉｎｔｅｒｓｅｒｅｎｃｅ：ＥＭＩ）が問題となる。ケーブルの不要輻射によるノイズを抑制するために、ラインフィルタが使用されている。
【０００３】
特許文献１では、ケーブルの不要輻射によるノイズを抑制することが検討されている。図９は、特許文献１に記載のラインフィルタ８００を示す模式図である。図９（ａ）に示すラインフィルタ８００は、コア８１０にケーブル８２０を通すことにより、ケーブル８２０の不要輻射によるノイズを抑制している。
【０００４】
しかしながら、図９（ａ）のラインフィルタ８００では、ケーブル８２０の不要輻射によるノイズの抑制が不十分であり、コア８１０を２個設けることがある。また、図９（ｂ）で示すラインフィルタ８００では、ケーブル８２０をコア８１０に巻きつけることにより、ケーブル８２０の不要輻射によるノイズを抑制している。図９（ｂ）で示す様にケーブル８２０をコア８１０に巻きつけると、インピーダンスが２倍に増加するために、ケーブル８２０の不要輻射によるノイズの抑制効果がさらに得られる。
【０００５】
しかしながら、図９（ｂ）に示すラインフィルタ８００のコア８１０の幅は、図９（ａ）に示すラインフィルタ８００より２倍程度大きく、コストアップの要因となる。このため、特許文献１には、ケーブルを挿通するための複数の挿通孔を所定間隔で穿設しているラインフィルタが開示されている。ケーブルを複数の挿通孔に交互に通すことにより、幅を増加させずにケーブルを巻くことと同等のケーブルの不要輻射によるノイズの抑制効果を得ている。
【先行技術文献】
【特許文献】
【０００６】
【特許文献１】特開平１１−２１４２２２号公報
【発明の概要】
【発明が解決しようとする課題】
【０００７】
しかしながら、図９（ａ）に示すラインフィルタ８００は、不要輻射によるノイズの抑制が不十分であった。また、図９（ｂ）に示すラインフィルタ８００は、コア８１０の幅が大きく、コストアップの要因となった。また、特許文献１に記載の技術では、コアの幅を小さくすることができたが、ケーブルを複数の挿通孔に交互に通しているため、コアが長さ方向に長くなり、コアの大きさが増加していた。
【０００８】
本発明は上記課題を鑑みてなされたものであり、その目的は、コアの大きさを大きくすることなく、ケーブルの不要輻射によるノイズを抑制することができるラインフィルタを提供することにある。
【課題を解決するための手段】
【０００９】
本発明によるラインフィルタは、平板状のケーブルと、平板状のコアと
を備えている。前記コアには前記ケーブルに対応した形状を有する内孔が設けられており、前記ケーブルは、前記コアの前記内孔の前記入口から侵入し前記出口を通過する第１貫通部と、前記コアの前記内孔の前記入口から侵入し前記出口を通過する第２貫通部と、前記第１貫通部における前記内孔の出口側と前記第２貫通部における前記内孔の入口側とを前記内孔を通過せずに連絡している連絡部とを有している。前記コアの主面の法線方向から見た場合、前記第１貫通部と前記第２貫通部とは少なくとも部分的に重なる。
【００１０】
ある実施形態において、前記コアの前記主面の前記法線方向から見た場合、前記第１貫通部と前記第２貫通部とは前記コアの前記内孔において全て重なる。
【００１１】
ある実施形態において、前記コアの前記主面の前記法線方向から見た場合、前記第１貫通部の延びている方向は前記第２貫通部の延びている方向と平行である。
【００１２】
ある実施形態において、前記ケーブルは、前記第１貫通部と連絡している第１本体部と、前記第２貫通部と連絡している第２本体部とを有している。前記第２貫通部は折り曲げ部を介して前記第２本体部と連絡しており、第２本体部は前記第２貫通部の延びている方向に対して前記折り曲げ部で曲げられた方向に延びている。
【００１３】
ある実施形態において、前記第２本体部の延びている方向は、前記第２貫通部の延びている方向と直交する。
【００１４】
ある実施形態において、前記ケーブルは、前記コアの前記内孔の前記入口から侵入し前記出口を通過する第３貫通部と、前記第２貫通部における前記内孔の出口側と前記第３貫通部における前記内孔の入口側とを前記内孔を通過せずに連絡している別の連絡部とをさらに有している。前記コアの前記主面の前記法線方向から見た場合、前記第３貫通部は、前記第１貫通部および前記第２貫通部のうちの少なくとも一方と部分的に重なる。
【００１５】
本発明による画像形成装置は、上記に記載のラインフィルタを備える。
【００１６】
ある実施形態において、前記画像形成装置は、原稿を読み取って入力画像を得る撮像部を有する画像読取部と、前記原稿を印刷する印刷部と、前記画像読取部と前記印刷部とを制御する制御部とをさらに備えている。前記撮像部と前記制御部とは、前記ラインフィルタを介して接続される。
【００１７】
ある実施形態において、前記原稿は副走査方向に読み取られ、前記ケーブルは、前記第１貫通部と連絡している第１本体部と、前記第２貫通部と連絡している第２本体部とを有し、前記第２貫通部は折り曲げ部を介して前記第２本体部と連絡しており、第２本体部は前記第２貫通部の延びている方向に対して前記折り曲げ部で曲げられた方向に延びており、前記第１貫通部は前記副走査方向に延びており、前記第２本体部は前記副走査方向に直交する主走査方向に延びている。
【００１８】
ある実施形態において、前記画像読取部は前記制御部と前記印刷部とを内部に搭載した支持筐体に支持された回動軸に対して回動可能であり、前記画像読取部の主面の法線方向から見た場合、前記第２本体部は前記回動軸と交差する方向に延びている。
【００１９】
本発明による電子機器は、上記に記載のラインフィルタを備える。
【発明の効果】
【００２０】
本発明のラインフィルタによれば、コアの大きさを大きくすることなく、ケーブルの不要輻射によるノイズを抑制することができる。
【図面の簡単な説明】
【００２１】
【図１】本発明の実施形態に係るラインフィルタを示す模式図である。
【図２】（ａ）〜（ｄ）は、本発明に係るケーブルのコアへの通し方を示す模式図である        。
【図３】本発明の実施形態に係るラインフィルタを示す模式図である。
【図４】本発明の他の実施形態に係るラインフィルタを示す模式図である。
【図５】本発明の実施形態に係る画像形成装置を示す模式的な側面図である。
【図６】本発明の実施形態に係る画像形成装置を示す模式的な斜視図である。
【図７】（ａ）は、比較例の画像読取部を示す模式的な上面図である。（ｂ）は、本発明の実施形態に係る画像読取部を示す模式的な上面図である。
【図８】本発明によるラインフィルタと画像読取装置との接続の実施形態を示す模式図で        ある。
【図９】（ａ）および（ｂ）は、従来のラインフィルタを示す模式図である。
【発明を実施するための形態】
【００２２】
以下、図面を参照して本発明に係るラインフィルタ、画像形成装置および電子機器の実施形態を説明する。ただし、本発明は以下の実施形態に限定されない。
【００２３】
［基本構成：ラインフィルタ］
図１を参照して本発明に係るラインフィルタ１００の実施形態を説明する。図１は、本発明の実施形態に係るラインフィルタ１００を示す模式図である。ラインフィルタ１００は、コア１０とケーブル２０とを備える。ラインフィルタ１００は、コア１０にケーブル２０を通すことにより、ケーブル２０の不要輻射によるノイズを抑制している。
【００２４】
コア１０は、例えば、フェライトコアである。コア１０には、ケーブル２０に対応した形状を有する内孔１１が設けられている。コアによって規定される内孔１１は、入口１２から出口１３まで貫通方向（ｘ方向）に延びている。コア１０の形状は、平板状である。コア１０は、主面１４を有する。
【００２５】
本明細書において、コア１０の内孔１１の最大となる径を示す方向をｙ方向とする。また、コア１０の内孔１１の貫通方向に平行な方向をｘ方向とする。また、コア１０の主面１４の法線方向をｚ方向とする。ｚ方向は、ｘ方向とｙ方向に直交している。
【００２６】
ケーブル２０の形状は、平板状である。ケーブル２０は、例えば、ＦＦＣ（Ｆｌｅｘｉｂｌｅ  Ｆｌａｔ  Ｃａｂｌｅ）やＦＰＣ（Ｆｌｅｘｉｂｌｅ  ｐｒｉｎｔｅｄ  ｃｉｒｃｕｉｔｓ）である。
【００２７】
ケーブル２０は、第１貫通部２１と第２貫通部２２と連絡部３０とを有している。第１貫通部２１は、コア１０の内孔１１の入口１２から侵入し出口１３を通過する。第２貫通部２２は、コア１０の内孔１１の入口１２から侵入し出口１３を通過する。連絡部３０は、第１貫通部２１における内孔１１の出口１３側と第２貫通部２２における内孔１１の入口１２側とを内孔１１を通過せずに連絡している。コア１０の主面１４の法線方向（ｚ方向）から第１貫通部２１および第２貫通部２２を見た場合、第１貫通部２１の延びている方向は第２貫通部２２の延びている方向と平行である。ラインフィルタ１００は、ケーブル２０がコア１０の内孔１１を２回通過する構成を有している。なお、本明細書において連絡部３０を第１連絡部と記載することがある。
【００２８】
ケーブル２０は、さらに、第１本体部３１と第２本体部３２と折り曲げ部４０とを有している。第１本体部３１は第１貫通部２１と連絡している。第２本体部３２は折り曲げ部４０を介して第２貫通部２２と連絡している。第２本体部３２は第２貫通部２２の延びている方向に対して折り曲げ部４０で曲げられた方向に延びている。
【００２９】
コア１０の主面１４の法線方向（ｚ方向）からラインフィルタ１００を見た場合、第１貫通部２１の延びている方向は第２貫通部２２の延びている方向と平行である。
【００３０】
コア１０は平板状であり、コア１０の内孔１１の径はｚ方向よりもｙ方向に大きく、上述したようにコア１０の内孔１１はケーブル２０に対応した形状を有している。具体的にはケーブル２０の第１貫通部２１および第２貫通部２２に着目する場合、コア１０の内孔１１の最大となる径を示す方向（ｙ方向）に沿った第１貫通部２１の径は、ｙ方向に直交する方向（ｚ方向）に沿った第１貫通部２１の径よりも大きく、コア１０の内孔１１の最大となる径を示す方向（ｙ方向）に沿った第２貫通部２２の径は、ｙ方向に直交する方向（ｚ方向）に沿った第２貫通部２２の径よりもそれぞれ大きい。例えば、第１貫通部２１および第２貫通部２２の延びている方向に対して垂直な断面において最大径を示す方向は、コア１０の内孔１１のうち最大を示す径を表す方向と平行であり、ケーブル２０がずれにくくコア１０のｚ方向の内径を小さくすることができる。
【００３１】
また、本実施形態において、コア１０の主面１４の法線方向（ｚ方向）からラインフィルタ１００を見た場合、第１貫通部２１と第２貫通部２２とはコア１０の内孔１１において全て重なっている。したがって、コア１０のｙ方向の内径を小さくすることができる。
【００３２】
図２を参照して本発明に係るケーブル２０のコア１０への通し方を説明する。図２は、本発明に係るケーブル２０のコア１０への通し方を示す模式図である。
【００３３】
まず、図２（ａ）に示すように、ケーブル２０の先端２５をコア１０の内孔１１の入口１２から侵入させ出口１３を通過させることにより、第１貫通部２１が形成される。
【００３４】
次に、図２（ｂ）に示すように、ケーブル２０の先端２５を折り返してコア１０の外側からコア１０の入口１２まで戻す。さらに、図２（ｃ）に示すように、ケーブル２０の先端２５をコア１０の内孔１１の入口１２から侵入させ出口１３を通過させることにより、連絡部３０と第２貫通部２２とが形成される。
【００３５】
次に、図２（ｄ）に示すように、直線に延びているケーブル２０を折り曲げ部４０で曲げることにより、第２本体部３２が形成される。
【００３６】
以上、図２（ａ）から図２（ｄ）を参照して説明したようにコア１０にケーブル２０を巻くことにより、ラインフィルタ１００を形成することができる。
【００３７】
なお、図１を参照して説明したように、コア１０の主面１４の法線方向（ｚ方向）からラインフィルタ１００を見た場合、第１貫通部２１と第２貫通部２２とは少なくとも部分的に重なっている。したがってコア１０のｙ方向の幅を狭くすることができる。その結果、コア１０の数を増やしたり、コア１０の幅を大きくしたりすることなく、ケーブル２０の不要輻射によるノイズを抑制することができる。
【００３８】
図１に示したラインフィルタ１００において、第１貫通部２１と第２貫通部２２とはコア１０の内孔１１において全て重なっている。図１を参照して説明したラインフィルタのコア１０のケーブルの巻き方にすることにより、コア１０の幅をより小さくすることができる。このためコア１０の幅を大きくすることなくコア１０を２個搭載した場合と同等の不要輻射によるノイズを抑制することができる。
【００３９】
また、図１を参照して説明したように、第２本体部３２は第２貫通部２２の延びている方向に対して折り曲げ部４０で曲げられた方向に延びている。したがって、折り曲げ部４０で第２本体部３２が延びる方向を変えることができる。本実施形態に係るラインフィルタ１００において、第２本体部３２の延びている方向は、第２貫通部２２の延びている方向と直交している。
【００４０】
図３は、本発明の実施形態に係るラインフィルタ１００を示す模式図である。上述したように、コア１０の主面１４の法線方向（ｚ方向）から図１で示すラインフィルタ１００を見た場合、第１貫通部２１の延びている方向は第２貫通部２２の延びている方向と平行であったが、第１貫通部２１の延びている方向は第２貫通部２２の延びている方向とは平行であることに限定されない。
【００４１】
コア１０の主面１４の法線方向（ｚ方向）からラインフィルタ１００を見た場合、第１貫通部２１の延びる方向と第２貫通部２２の延びる方向とは交差し得る。コア１０の主面１４の法線方向（ｚ方向）から、図３で示したラインフィルタ１００を見た場合、第１貫通部２１と第２貫通部２２とは部分的に重なっているが、この形態も本発明の技術的範囲に含まれる。また、折り曲げ部は形成され無くてもよい。
【００４２】
［３ターン：ラインフィルタ］
なお、図１および図３で示したラインフィルタ１００は、ケーブル２０がコア１０の内孔１１を２回通過する構成を有していたが、ラインフィルタ１００は、ケーブル２０がコア１０の内孔１１を３回以上通過する構成を有し得る。
【００４３】
図４を参照して、本発明に係るラインフィルタ１００の他の実施形態を説明する。図４は、本発明の他の実施形態に係るラインフィルタ１００を示す模式図である。ラインフィルタ１００は、ケーブル２０がコア１０の内孔１１を３回通過する構成を有している。ラインフィルタ１００のケーブル２０は第３貫通部２３と連絡部３３とをさらに有する。本実施形態に係るラインフィルタ１００は、ケーブル２０が第３貫通部２３と連絡部３３とをさらに有する点を除いて、図１を参照して説明したラインフィルタ１００と同様な構成を有するため、重複部分については説明を省略する。なお、本明細書において連絡部３３を第２連絡部と記載することがある。
【００４４】
第３貫通部２３は、コア１０の内孔１１の入口１２から侵入し出口１３を通過する。連絡部３３は、第２貫通部２２における内孔１１の出口１３側と第３貫通部２３における内孔１１の入口１２側とを内孔１１を通過せずに連絡している。ラインフィルタ１００において、ケーブル２０はコア１０の内孔１１を３回通過している。
【００４５】
ここでは、コア１０の主面１４の法線方向（ｚ方向）からラインフィルタ１００を見た場合、第１貫通部２１と第２貫通部２２と第３貫通部２３とはコア１０の内孔１１において全て重なっている。なお、コア１０の主面１４の法線方向（ｚ方向）からラインフィルタ１００を見た場合、第３貫通部２３が、第１貫通部２１および第２貫通部２２のうちの少なくとも一方と部分的に重なるようにラインフィルタ１００を構成することも可能である。例えば、第１貫通部２１および第２貫通部２２がコア１０の内孔１１において全て重なっていて、第３貫通部２３が第１貫通部２１および第２貫通部２２と部分的に重なっていてもよい。または第１貫通部２１および第２貫通部２２が部分的に重なっていて、第３貫通部２３が、第１貫通部２１および第２貫通部２２のうちの少なくとも一方と部分的に重なっていてもよい。第３貫通部２３が、第１貫通部２１および第２貫通部２２のうちの少なくとも一方と部分的に重なる構成を有する場合、第１貫通部２１と第２貫通部２２と第３貫通部２３とが重ならない構成にした場合と比べて、ラインフィルタ１００のコア１０のｙ方向の幅を小さく構成することができる。
【００４６】
以上、図４を参照して説明したように、コア１０の主面１４の法線方向（ｚ方向）からラインフィルタ１００を見た場合、第３貫通部２３は、第１貫通部２１および第２貫通部２２のうちの少なくとも一方と部分的に重なっている。また、ラインフィルタ１００において、ケーブル２０はコア１０の内孔１１を３回通過している。したがって、ケーブル２０の不要輻射によるノイズをさらに抑制することができる。
【００４７】
［画像形成装置］
図５および図６を参照して本発明に係る画像形成装置２００の実施形態を説明する。図５は、本発明の実施形態に係る画像形成装置２００を示す模式的な側面図である。図６は、本発明の実施形態に係る画像形成装置２００を示す模式的な斜視図である。
【００４８】
画像形成装置２００は、図１から図４を参照して説明したラインフィルタ１００を備える。画像形成装置２００は、さらに画像読取部５０と印刷部７０と制御部６０とを備える。典型的に画像形成装置２００は、原稿台５６をさらに備える。画像読取部５０は、原稿台５６の下方に設けられている。制御部６０と印刷部７０とは支持筐体８０の内部に搭載されている。画像形成装置２００は、原稿台５６の上に載置された原稿Ｍを読み取って入力画像を得る。
【００４９】
画像読取部５０は、撮像部５１を有する。撮像部５１は、原稿Ｍを読み取って入力画像を得る。画像読取部５０は、光源（図示せず）と光学系（図示せず）とを有する。光学系は、複数の反射ミラーとレンズとを有している。
【００５０】
光源から出射した光は、光学系を経て撮像部５１に到達する。以下、光源から出射した光が撮像部５１に到達する過程を説明する。光源は、原稿台５６を下方から照射する。光源から出射された光は、原稿Ｍで反射して、複数の反射ミラーによって導かれ、レンズを通り撮像部５１に到達する。原稿Ｍを読み取る場合は、発光している光源は図５の法線方向に移動する。
【００５１】
撮像部５１は、例えば、ＣＣＤ（Ｃｈａｒａｇｅ  Ｃｏｕｐｌｅｄ  Ｄｅｖｉｃｅ）ユニットやＣＩＳ（Ｃｏｎｔａｃｔ  Ｉｍａｇｅ  Ｓｅｎｓｏｒ）ユニットである。撮像部５１は、撮像素子を搭載した基板を有する。撮像部５１がＣＣＤユニットである場合、撮像素子はＣＣＤイメージセンサである。撮像部５１がＣＩＳユニットである場合、撮像素子はＣＭＯＳイメージセンサである。撮像部５１において、撮像素子は撮像部５１に到達した光から電気信号を生成する。
【００５２】
撮像部５１と制御部６０とは、ラインフィルタ１００を介して接続される。撮像部５１で生成した電気信号は、ラインフィルタ１００のケーブル２０を流れて、制御部６０へと入力される。制御部６０は、画像読取部５０と印刷部７０とを制御する。制御部６０は、原稿Ｍを読み取って入力画像を得るために画像読取部５０を制御する。制御部６０が入力画像に基づいて印刷部７０を制御することにより、印刷部７０は原稿Ｍを印刷する。
【００５３】
印刷部７０は、感光ドラム７１と現像部７２と転写部７３と給紙部７４と搬送ベルト７５とトナー収容部７６と蓋７７と排紙台７８と搬送ベルト７９とを有する。印刷部７０は、画像読取部５０の下方に設けられる。原稿Ｍを印刷する場合、まず感光ドラム７１を帯電器（図示せず）により帯電させる。その後、帯電された感光体ドラム７１の表面に、入力画像に基づいてレーザーを照射し、静電潜像を形成する。その後、現像部７２によって静電潜像にトナーを付着させて感光ドラム７１の表面にトナー像を形成する。その後、転写部７３は、感光ドラム７１の表面に形成されたトナー像と逆の極性の電荷を用紙に与える。給紙部７４から搬送ベルト７５により搬送された用紙に転写部７３で形成されたトナー像を転写する。その後、トナー像が転写された用紙は搬送ベルト７９により搬送され、排紙台７８に排紙される。
【００５４】
次に、図６を参照して、撮像部５１と制御部６０との接続について説明する。図６は、トナー収容部７６にトナーを挿入するために蓋７７を上げている状態である。制御部６０は、画像形成装置２００の支持筐体８０の側面に設けられている。ケーブル２０は折り曲げ部４０で水平方向に曲げられる。そして、ケーブル２０は、支点４１において垂直方向に曲げられる。その後、ケーブル２０は、水平方向に曲げられたのち、垂直方向に曲げられて、制御部６０に接続される。ラインフィルタ１００を備えることにより、ケーブル２０の不要輻射によるノイズを抑制している。図６に示すように、トナー収容部７６にトナーを挿入するために蓋７７を上げる際に、画像読取部５０が邪魔にならないように画像読取部５０を支持筐体８０に支持された回動軸に対して回動させることがある。
【００５５】
図７を参照して、本発明による画像形成装置２００の実施形態を説明する。図７（ａ）は、比較例である画像読取部９５０を示す模式的な上面図である。図７（ｂ）は、本発明の実施形態に係る画像読取部５０を示す模式的な上面図である。
【００５６】
図７（ａ）に示すように、画像読取部９５０は、撮像部９５１を備える。撮像部９５１は、撮像素子を搭載した基板９５３を有する。撮像部９５１は、ラインフィルタ９００と接続している。ラインフィルタ９００は、コア９１０とケーブル９２０とを有する。ケーブル９２０はコア９１０の内孔を１回通過している。ケーブル９２０はコア９１０の内孔を通過後、副走査方向ｈに延びている。
【００５７】
図７（ｂ）に示すように、本実施形態の画像読取部５０は、撮像部５１を備える。撮像部５１は、図１で示したラインフィルタ１００と接続している。撮像部５１は、撮像素子を搭載した基板５３を有する。撮像部５１に接続されたケーブル２０は、まず撮像部５１の下方におろされ、その後、撮像部５１の下方を通り副走査方向ｈに延びていく。第１貫通部２１は、副走査方向ｈに延びている。第２本体部３２は、折り曲げ部４０で折り曲げられ主走査方向ｖに延びている。第１貫通部２１と第２本体部３２の延びる方向は直交している。ケーブル２０はコア１０の内孔を２回通過している。
【００５８】
図６で示したように、トナー収容部７６にトナーを挿入するために蓋７７を上げる際に、画像読取部５０が邪魔にならないように画像読取部５０を支持筐体８０に支持された回動軸に対して回動させることがある。このような場合、画像読取部９５０においては、画像読取部９５０の主面９５２の法線方向から見た場合、回動軸と平行な方向すなわち副走査方向ｈにケーブル９２０が延びているため、画像読取部９５０を回動させた場合、ケーブル９２０が引っ張られることによりストレスがかかり、ケーブル９２０が断線する虞がある。
【００５９】
一方、画像読取部５０においては、画像読取部５０の主面５２の法線方向から見た場合、回動軸と交差する方向すなわち主走査方向ｖに第２本体部３２が延びているため、支点４１に対してケーブル２０が動き、ケーブル２０にストレスがかかることを抑制することができる。したがって、ケーブル２０が断線することを抑制することができる。
【００６０】
図８を参照して、本発明によるラインフィルタ１００と画像読取装置５０との接続の実施形態を説明する。図８は、本発明によるラインフィルタ１００と画像読取装置５０との接続を示す模式図である。図８は、図７（ｂ）に示された矢印ｐの方向から見た撮像部５１を示す。
【００６１】
画像読取部５０の撮像部５１は、撮像素子５４を搭載した基板５３を有する。基板５３は、コネクタ５５を有している。基板を有するコネクタ５５と第１本体部３１に設けられたコネクタとを連結することにより、ラインフィルタ１００と基板５３とは接続される。第２本体部３２は、折り曲げ部４０で下方向に折り曲げられ撮像部５１の下方に延びている。
【００６２】
以上、図８を参照して説明したように、撮像素子５４に隣接してラインフィルタ１００を設けることができる。したがって、ケーブル２０を撮像部５１の下方に単におろすよりも、ケーブル２０の不要輻射によるノイズをさらに抑制することができる。
【００６３】
図５〜図８を参照して、本発明のラインフィルタ１００を備える画像形成装置２００を説明した。本発明のラインフィルタ１００は、他の電子機器にも備えることができる。例えば、電子機器は、パソコン、携帯電話およびパネルなどのディスプレイである。電子機器が本発明のラインフィルタ１００を備えることにより、電子機器に設けられているケーブル２０の不要輻射によるノイズを抑制することができる。
【産業上の利用可能性】
【００６４】
本発明のラインフィルタは、コアの大きさを大きくすることなく、ケーブルの不要輻射によるノイズを抑制するためのラインフィルタに好適に用いられる。
【符号の説明】
【００６５】
１０        コア
１１        内孔
１２        入口
１３        出口
１４        主面
２０        ケーブル
２１        第１貫通部
２２        第２貫通部
２３        第３貫通部
２５        ケーブルの先端
３０        連絡部
３１        第１本体部
３２        第２本体部
３３        連絡部
４０        折り曲げ部
４１        支点
５０        画像読取部
５１        撮像部
５２        画像読取部の主面
５３        基板
６０        制御部
７０        印刷部
７１        感光ドラム
７２        現像部
７３        転写部
７４        給紙部
７５、７９  搬送ベルト
８０        支持筐体
１００      ラインフィルタ
２００      画像形成装置
８００      ラインフィルタ
８１０      コア
８２０      ケーブル
９５０      画像読取部
９５１      撮像部
９５２      画像読取部の主面
９５３      基板
Ｍ          原稿
【図１】
2014107388.tif 000003
【図２】
2014107388.tif 000004
【図３】
2014107388.tif 000005
【図４】
2014107388.tif 000006
【図５】
2014107388.tif 000007
【図６】
2014107388.tif 000008
【図７】
2014107388.tif 000009
【図８】
2014107388.tif 000010
【図９】
2014107388.tif 000011